【手続補正書】
【提出日】平成15年8月11日(2003.8.11)
【手続補正１】
【補正対象書類名】明細書
【補正対象項目名】特許請求の範囲
【補正方法】変更
【補正の内容】
【特許請求の範囲】
【請求項１】
携帯電子機器が嵌合されて装着される凹状の嵌合部を有する筐体と、前記嵌合部に前記携帯電子機器が装着されたことを検知する装着検知部と、前記携帯電子機器が前記嵌合部に装着されたとき、該機器に設けられた充電受電端子と接触し該機器の内蔵電池に充電電圧を印加するための一対の給電端子を備え、前記給電端子は、前記筐体内に取付けられ、前記筐体に設けられた開孔から前記嵌合部に出没可能に設けられ、前記装着検知部は、前記筐体内に軸支され、一端が前記嵌合部底面に設けられた透孔を貫通して突出する回転片と前記回転片の一端を上記突出方向に付勢するスプリングとからなり、前記携帯電子機器が装着され、前記回転片の一端が前記スプリングの付勢力に抗して押し下げられたとき該回転片の回転に連動して前記給電端子を前記開孔から前記嵌合部内に突出させて前記充電受電端子と接触させる携帯電子機器用の充電装置であって、
前記装着検知部の回転片は、前記嵌合部の幅方向左右に分割されて独立に回転支持され、この左右の回転片が押されることにより前記給電端子が前記開孔から嵌合部内にそれぞれ押し出されることを特徴とする携帯電子機器用の充電装置。
【請求項２】
携帯電子機器が嵌合されて装着される凹状の嵌合部を有する筐体と、前記嵌合部に前記携帯電子機器が装着されたことを検知する装着検知部と、前記携帯電子機器が前記嵌合部に装着されたとき、該機器に設けられた充電受電端子と接触し該機器の内蔵電池に充電電圧を印加するための一対の給電端子を備え、前記給電端子は、前記筐体内に取付けられ、前記筐体に設けられた開孔から前記嵌合部に出没可能に設けられ、前記装着検知部は、前記筐体内に軸支され、一端が前記嵌合部底面に設けられた透孔を貫通して突出する回転片と前記回転片の一端を上記突出方向に付勢するスプリングとからなり、前記携帯電子機器が装着され、前記回転片の一端が前記スプリングの付勢力に抗して押し下げられたとき該回転片の回転に連動して前記給電端子を前記開孔から前記嵌合部内に突出させて前記充電受電端子と接触させる携帯電子機器用の充電装置であって、
前記スプリングはねじりコイルばねであり、そのコイル部は連続した線材により少なくとも２つ形成され、それぞれのコイル部は前記回転片の回動軸及び該回動軸を挟んで他端側に設けた突出軸に支持され、
前記回動軸に支持されたコイル部が、該回動軸の回りに前記突出軸側を押し下げることで回転片の一端を突出方向に付勢し、
前記突出軸に支持されたコイル部が、前記給電端子と前記充電受電端子との接触圧を付与するように構成されたことを特徴とする携帯電子機器用の充電装置。
【請求項３】
携帯電子機器が嵌合部に装着されていないときは前記給電端子には、電源電圧が印加されることなく、携帯電子機器が嵌合部に装着されているときに回転片の回転に伴い電源電圧が印加されるように構成したことを特徴とする請求項２に記載の携帯電子機器用の充電装置。
【請求項４】
前記装着検知部の回転片は、前記嵌合部の幅方向左右に分割されて独立に回転支持され、この左右の回転片が押されることにより前記給電端子が前記開孔から嵌合部内にそれぞれ突出されることを特徴とする請求項３に記載の携帯電子機器用の充電装置。
【請求項５】
携帯電子機器が嵌合されて装着される凹状の嵌合部を有する筐体と、前記嵌合部に前記携帯電子機器が装着されたことを検知する装着検知部と、前記携帯電子機器が前記嵌合部に装着されたとき、該機器に設けられた充電受電端子と接触し該機器の内蔵電池に充電電圧を印加するための一対の給電端子を備え、前記給電端子は、前記筐体内に取付けられ、前記筐体に設けられた開孔から前記嵌合部に出没可能に設けられ、前記装着検知部は、前記筐体内に軸支され、一端が前記嵌合部底面に設けられた透孔を貫通して突出する回転片と前記回転片の一端を上記突出方向に付勢するスプリングとからなり、前記携帯電子機器が装着され、前記回転片の一端が前記スプリングの付勢力に抗して押し下げられたとき該回転片の回転に連動して前記給電端子を前記開孔から前記嵌合部内に突出させて前記充電受電端子と接触させる携帯電子機器用の充電装置であって、
携帯電子機器が嵌合部に装着されていないときは前記給電端子には、電源電圧が印加されることなく、携帯電子機器が嵌合部に装着されているときに回転片の回転に伴い電源電圧が印加されるように構成したことを特徴とする携帯電子機器用の充電装置。
【請求項６】
前記装着検知部の回転片に前記給電端子が取付けられ、前記スプリングはねじりコイルばねで構成され、前記回転片の回転軸又はそれとは別個に設けた突出部に支持され、前記給電端子が前記スプリングと共通の部材とされていることを特徴とする請求項１乃至請求項５のいずれかに記載の携帯電子機器用の充電装置。
【請求項７】
携帯電子機器が嵌合されて装着される凹状の嵌合部を有する筐体と、前記嵌合部に前記携帯電子機器が装着されたことを検知する装着検知部と、前記携帯電子機器が前記嵌合部に装着されたとき、該機器に設けられた充電受電端子と接触し該機器の内蔵電池に充電電圧を印加するための一対の給電端子を備え、
前記給電端子は前記筐体内に取付けられ、前記筐体に設けられた開孔から前記嵌合部に出没可能に設けられ、
前記装着検知部は前記筐体内に軸支され、一端が前記嵌合部面に設けられた透孔を貫通して突出する回転片と、前記回転片の一端を上記突出する方向に付勢するスプリングとからなり、
前記携帯電子機器が装着されたとき、前記スプリングの付勢力に抗して前記回転片が回転し、前記給電端子を前記開孔から前記嵌合部内に突出させて前記充電受電端子と接触させる携帯電子機器用の充電装置であって、
前記携帯電子機器が前記嵌合部に装着されていないときには、前記回転片と連動する係止部により前記給電端子を開孔内の格納位置に係止し、
前記携帯電子機器が前記嵌合部に装着されると、この装着に伴う前記回転片の回転に連動して前記係止部による係止を解除して前記給電端子を開孔から突出位置への変位を許容し、該給電端子を前記携帯電子機器の充電受電端子に接触させるように構成されたことを特徴とする携帯電子機器用の充電装置。
【手続補正２】
【補正対象書類名】明細書
【補正対象項目名】０００６
【補正方法】変更
【補正の内容】
【０００６】
【課題を解決するための手段】
上記目的を達成するために請求項１の発明は、携帯電子機器が嵌合されて装着される凹状の嵌合部を有する筐体と、嵌合部に携帯電子機器が装着されたことを検知する装着検知部と、携帯電子機器が嵌合部に装着されたとき、該機器に設けられた充電受電端子と接触し該機器の内蔵電池に充電電圧を印加するための一対の給電端子を備え、給電端子は、筐体内に取付けられ、筐体に設けられた開孔から嵌合部に出没可能に設けられ、装着検知部は、筐体内に軸支され、一端が嵌合部底面に設けられた透孔を貫通して突出する回転片と回転片の一端を上記突出方向に付勢するスプリングとからなり、携帯電子機器が装着され、回転片の一端がスプリングの付勢力に抗して押し下げられたとき該回転片の回転に連動して給電端子を開孔から嵌合部内に突出させて充電受電端子と接触させる携帯電子機器用の充電装置であって、装着検知部の回転片は、嵌合部の幅方向左右に分割されて独立に回転支持され、この左右の回転片が押されることにより給電端子が開孔から嵌合部内にそれぞれ押し出されるものである。


【手続補正３】
【補正対象書類名】明細書
【補正対象項目名】０００８
【補正方法】変更
【補正の内容】
【０００８】
また、請求項２の発明は、携帯電子機器が嵌合されて装着される凹状の嵌合部を有する筐体と、嵌合部に携帯電子機器が装着されたことを検知する装着検知部と、携帯電子機器が前記嵌合部に装着されたとき、該機器に設けられた充電受電端子と接触し該機器の内蔵電池に充電電圧を印加するための一対の給電端子を備え、給電端子は、筐体内に取付けられ、筐体に設けられた開孔から嵌合部に出没可能に設けられ、装着検知部は、筐体内に軸支され、一端が嵌合部底面に設けられた透孔を貫通して突出する回転片と回転片の一端を上記突出方向に付勢するスプリングとからなり、携帯電子機器が装着され、回転片の一端がスプリングの付勢力に抗して押し下げられたとき該回転片の回転に連動して給電端子を開孔から嵌合部内に突出させて充電受電端子と接触させる携帯電子機器用の充電装置であって、スプリングはねじりコイルばねであり、そのコイル部は連続した線材により少なくとも２つ形成され、それぞれのコイル部は回転片の回動軸及び該回動軸を挟んで他端側に設けた突出軸に支持され、回動軸に支持されたコイル部が、該回動軸の回りに突出軸側を押し下げることで回転片の一端を突出方向に付勢し、突出軸に支持されたコイル部が、給電端子と充電受電端子との接触圧を付与するように構成されたものである。


【手続補正４】
【補正対象書類名】明細書
【補正対象項目名】００１１
【補正方法】変更
【補正の内容】
【００１１】
また、請求項４の発明は、請求項３に記載の携帯電子機器用の充電装置において、装着検知部の回転片は、嵌合部の幅方向左右に分割されて独立に回転支持され、この左右の回転片が押されることにより給電端子が開孔から嵌合部内にそれぞれ突出させるものである。この構成においては、請求項３による作用に加えて、ユーザが左右両側の回転片の一端を同時に押下しない限りは、給電端子は充電装置の筐体外に突出しないので、感電や短絡の虞はほとんどなくなる。


【手続補正５】
【補正対象書類名】明細書
【補正対象項目名】００１２
【補正方法】変更
【補正の内容】
【００１２】
また、請求項５の発明は、携帯電子機器が嵌合されて装着される凹状の嵌合部を有する筐体と、嵌合部に携帯電子機器が装着されたことを検知する装着検知部と、携帯電子機器が嵌合部に装着されたとき、該機器に設けられた充電受電端子と接触し該機器の内蔵電池に充電電圧を印加するための一対の給電端子を備え、給電端子は、筐体内に取付けられ、筐体に設けられた開孔から嵌合部に出没可能に設けられ、装着検知部は、筐体内に軸支され、一端が嵌合部底面に設けられた透孔を貫通して突出する回転片と回転片の一端を上記突出方向に付勢するスプリングとからなり、携帯電子機器が装着され、回転片の一端が前記スプリングの付勢力に抗して押し下げられたとき該回転片の回転に連動して給電端子を開孔から嵌合部内に突出させて充電受電端子と接触させる携帯電子機器用の充電装置であって、携帯電子機器が嵌合部に装着されていないときは給電端子には、電源電圧が印加されることなく、携帯電子機器が嵌合部に装着されているときに回転片の回転に伴い電源電圧が印加されるように構成したものである。この構成においては、携帯電子機器が装着されていないときには充電電圧が印加されないので、仮に給電端子に手又は金属製のストラップが接触しても感電又は短絡の虞がなくなる。


【手続補正６】
【補正対象書類名】明細書
【補正対象項目名】００１３
【補正方法】変更
【補正の内容】
【００１３】
また、請求項６の発明は、請求項１乃至請求項５のいずれかに記載の携帯電子機器用の充電装置において、装着検知部の回転片に給電端子が取付けられ、スプリングはねじりコイルばねで構成され、回転片の回転軸又はそれとは別個に設けた突出部に支持され、給電端子がスプリングと共通の部材とされているものである。この構成においては、請求項１乃至請求項５のいずれかに記載の充電装置を簡素な構造で実現することができる。
また、請求項７の発明は、携帯電子機器が嵌合されて装着される凹状の嵌合部を有する筐体と、前記嵌合部に前記携帯電子機器が装着されたことを検知する装着検知部と、前記携帯電子機器が前記嵌合部に装着されたとき、該機器に設けられた充電受電端子と接触し該機器の内蔵電池に充電電圧を印加するための一対の給電端子を備え、前記給電端子は前記筐体内に取付けられ、前記筐体に設けられた開孔から前記嵌合部に出没可能に設けられ、前記装着検知部は前記筐体内に軸支され、一端が前記嵌合部面に設けられた透孔を貫通して突出する回転片と、前記回転片の一端を上記突出する方向に付勢するスプリングとからなり、前記携帯電子機器が装着されたとき、前記スプリングの付勢力に抗して前記回転片が回転し、前記給電端子を前記開孔から前記嵌合部内に突出させて前記充電受電端子と接触させる携帯電子機器用の充電装置であって、前記携帯電子機器が前記嵌合部に装着されていないときには、前記回転片と連動する係止部により前記給電端子を開孔内の格納位置に係止し、前記携帯電子機器が前記嵌合部に装着されると、この装着に伴う前記回転片の回転に連動して前記係止部による係止を解除して前記給電端子を開孔から突出位置への変位を許容し、該給電端子を前記携帯電子機器の充電受電端子に接触させるように構成されたものである。上記係止部は、下記の実施形態では、フック部２０に相当する。
【手続補正７】
【補正対象書類名】明細書
【補正対象項目名】００３５
【補正方法】変更
【補正の内容】
【００３５】
請求項６の発明によれば、請求項１乃至請求項５のいずれかに記載の充電装置を簡素な構造で実現することができるので、安全性の高い充電装置を低コストで提供することができる。
請求項７の発明によれば、携帯電子機器を装着したとき、給電端子を強制的に押し出すのではなく、係止解除に伴って発生する変位力により突出させて充電受電端子に接触させるので、給電端子と充電受電端子の接触圧を最適化することができ、適正な接触圧により給電端子と充電受電端子の端子表面に形成された酸化皮膜をクリーニングすると共に、両端子の変形や磨耗を抑制することができる。